(57)【要約】      （修正有）【課題】履物着用者の選択によって通常の履物とインラインスケートを選択的に使えるようにした昇降式インラインスケートシューズを提供する。【解決手段】履物底のかかとに設けられたプッシュボタン３によって、履物底の底面部に装入されたインラインスケートが履物底の外部に押し出されるとか前記底の底面に押し込まれるように構成されたもので、通常の履物の機能とインラインスケートの機能を統合して使える構造に構成され、使用が簡便であるだけでなく、インラインスケートと履物をそれぞれ別に備える必要がないので、非常に経済的で実用的である。【選択図】図１
0003215113.tif 000002
【実用新案登録請求の範囲】
【請求項１】
インラインスケート用履物底の底面部中央に、ハウジングが装着可能なサイズの凹溝が形成され、前記凹溝に直方体構造のハウジングが装着され、前記ハウジング内にスライダーが装着され、前記スライダーの左右両側に一定の間隔で垂直に１対の側壁が立設され、スプリングによって前後に弾性作動するプッシュボタンが後端部に設けられ、前記プッシュボタンは履物底のかかとに形成された通孔部を通じて外部に突出するように構成され、前記プッシュボタンが後端部に設けられたスライダーの両側下部にはガイドが挿入される“Ｌ”字形のホイールシャフト挿入溝がホイールの数だけ左右両側に形成され、前記スライダー内にフレームが装着され、フレームの両側壁面には凹形のホイールシャフト装着溝が形成され、前記フレームの外側面上端に形成された二つの締結溝は履物底に固定され、弾性作動するスプリングと、ホイールシャフトが挿入されるホイールシャフト挿入孔が側面に形成されたガイドとが前記フレーム内に装入され、前記フレームが装入されたスライダーがハウジング固定板によって前記ハウジング内に固定的に装着されていることを特徴とする、昇降式インラインスケートシューズ。
【請求項２】
ホイールシャフト挿入溝によって、履物着用者がプッシュボタンを押す場合、前記スライダーが前進することによってホイールシャフトがスライダーのホイールシャフト挿入溝から離脱し、ホイールがガイドの上部に装着されたスプリングによって履物底の底面から押し出され、一方、前記プッシュボタンを内側に押し込むとともにガイドに装着されたホイールを手で前記フレーム内に押し込むと、前記ハウジングの内部に挿入されたスライダーが前方に前進するとともにスプリングによる弾性作動によってホイールシャフトがスライダーに形成された“Ｌ”字形のホイールシャフト挿入溝に進入するように構成されることを特徴とする、請求項１に記載の昇降式インラインスケートシューズ。
【考案の詳細な説明】
【技術分野】
【０００１】
本考案は履物底の底面部に長手方向に装入されたインラインスケートがプッシュボタン（ｐｕｓｈ  ｂｕｔｔｏｎ）によって履物底の外部に押し出されるとか内部に押し込まれることができるようにしたものに関するもので、より詳しくは履物着用者の選択によって通常の履物とインラインスケートを選択的に使えるようにした昇降式インラインスケートシューズに関するものである。
【背景技術】
【０００２】
近年、水上スキーやパラグライディングなどの各種のレジャースポーツの活性化によって面白くてスポーティーな各種のレジャースポーツ用品が多く開発され、新しいレジャースポーツ分野が活性化している。
【０００３】
したがって、このようなレジャースポーツ用品は実生活でレジャーが簡単に楽しめるようにすることをその目的とするもので、既存のレジャースポーツ用品又は道具を生活用品に実際に適用したものが多い。このうち、インラインスケート又はローラースケートを履物に応用したローラーシューズがその一例である。ローラーシューズは一般的な運動靴の底後半部にローラーを装着することによって運動靴の機能とローラースケートの機能を全て備えることができるようにしたものである。これは運動靴の基本機能に加え、ローラースケート機能をすることができる構造に構成されているが、前記のような従来のローラーシューズはローラーが一つのみであるため、使用者が感じるローリングの楽しさが半減するだけでなく、つま先を上方に上げた状態で乗らなければならないので、安全性にも問題点が多くあった。
【考案の概要】
【考案が解決しようとする課題】
【０００４】
従来のローラーシューズは一般的な運動靴の底後半部にローラースケートを装着することによって、運動靴の機能とローラースケートの機能を全て備えることができるようにしたもので、運動靴の基本機能に加え、運動靴の底後端部にローラーを装着してローラースケートの機能をする構造であるが、前記のような従来のローラーシューズはローラーが一つのみ装着されることによって使用者が感じるローリングの楽しさが減るだけでなく、つま先を上げた状態で楽しまなければならないため、従来のインラインスケートシューズは使用時に安全性に問題点が多くあった。
【０００５】
したがって、本考案はこのような従来の問題点を解消した昇降式インラインスケートシューズを提供することをその目的とする。
【課題を解決するための手段】
【０００６】
本考案は前記問題点を解決するためになされたもので、履物底のかかとに設けられたプッシュボタンによって前記履物底の底面部に装入されたインラインスケートが履物底の外部に押し出されるとか底の底面に押し込まれるように構成した昇降式インラインスケートシューズを提供する。これは、履物着用者の選択によって通常の履物の機能とインラインスケートの機能を共に使うことができるので、使用が簡便であり、便宜性を図ることができる。また、インラインスケートと履物をそれぞれ別に備える必要がないので、非常に経済的で実用的である。
【考案の効果】
【０００７】
本考案は昇降式インラインスケートシューズに係り、履物底のかかとに設けたプッシュボタンによって、前記履物底の底面部に装入されたインラインスケートが履物底の外部に押し出されるとか内部に押し込まれる構造に構成した昇降式インラインスケートシューズである。これは通常の履物の機能とインラインスケートの機能が共に使える構造のもので、履物着用者の選択によって通常的な履物の機能だけでなくインラインスケートの機能を簡便に切り替えて使える構造に構成されたものである。本考案の昇降式インラインスケートシューズは構造が簡単で、使用方法が簡単であり、特にインラインスケートと履物をそれぞれ別に備える必要がないので、非常に経済的で実用的に使えることができ、一石二鳥の効果があるものである。
【図面の簡単な説明】
【０００８】
【図１】本考案による構成部品の分解斜視図である。
【図２】図１の結合斜視図である。
【図３】図２のホイールガイドが締結されたスライダーが押し出された状態の斜視図である。
【図４】図２のホイールガイドが締結されたスライダーが押し込まれた状態の斜視図である。
【図５】ホイールがガイドに結合された状態の拡大図である。
【図６】本考案のホイールが履物底から押し出された状態の拡大図である。
【図７】本考案のホイールが履物底に押し込まれた状態の拡大図である。
【考案を実施するための形態】
【０００９】
本考案は履物着用者の選択によって押し出し又は押し込みが可能なインラインスケートが装着された昇降式インラインスケートシューズに関するものである。
【００１０】
図１は本考案による構成部品の分解斜視図、図２は図１の結合斜視図、図３は図２のスライダーに装着されたホイールが押し出された状態の斜視図、図４は図２のスライダーに装着されたホイールが押し込まれた状態の斜視図、図５はホイールがガイドに結合された状態の拡大図、図６はインラインスケートが履物底から押し出された状態の拡大図、図７はインラインスケートが履物底に押し込まれた状態の拡大図である。
【００１１】
本考案を詳細に説明すれば次のようである。
【００１２】
図１に示すように、インラインスケート用履物胴体１００の底８０の底面部中央に、ハウジング２０が装着可能なサイズの凹溝が形成され、前記凹溝に直方体構造のハウジング２０が装入されて装着された後、前記ハウジング２０の内部にスライダー３０が挿入される。前記スライダー３０の形状は、左右両側に一定間隔で垂直に１対の側壁が立設され、スプリング１によって前後に弾性作動するプッシュボタン３が前記スライダー３０の後端部に設けられる。前記プッシュボタン３は履物底８０のかかとに形成された通孔部を通じて外部に突出した状態の構造である。プッシュボタン３が後端部に設けられたスライダー３０の両側下部にはホイール６０が挿入されるホイールシャフト挿入孔９が形成されたガイド５０が挿入される“Ｌ”字形のホイールシャフト挿入溝５がホイール６０の数だけ左右両側に形成される。このホイールシャフト挿入溝５は、履物着用者がプッシュボタン３を押す場合、前記スライダー３０が前方に前進することによってホイールシャフト８がスライダー３０のホイールシャフト挿入溝５から離脱し、前記ホイール６０がガイド５０の上部に装着されたスプリング２によって履物底８０の底面から押し出されるようにする。また、前記スライダー３０内にフレーム４０が装着され、フレーム４０の両側壁面には凹形のホイールシャフト装着溝６が形成され、前記フレーム４０の外側面上端に形成された二つの締結溝７は固定具（図示せず）によって履物底８０に固定される。そして、上方に弾性作動するスプリング２が左右両側に挿入されたガイド５０が前記フレーム４０内に挿入された後、前記ガイド５０が挿入されたフレーム４０が内設された前記スライダー３０がハウジング固定板４によってハウジング２０に締結されることで、前記ハウジング２０にスライダー３０、フレーム４０、及びホイール６０が挿入されたガイド５０が順に挿入された構造となる。
【００１３】
そして、前記ガイド５０に形成されたホイールシャフト挿入孔９にはそれぞれのホイール６０を支持するホイールシャフト８が挿入されている。
【００１４】
前記のような構造になった昇降式インラインスケートシューズの実施例は次のようである。
【００１５】
本考案による昇降式インラインスケートシューズの使用方法を説明すれば、ガイド５０に装着されたホイール６０が履物胴体１００の底８０の底面部に形成されたハウジング２０内に押し込まれた状態では、履物着用者が前記履物胴体を着用して日常的な生活で履物の機能をすることができ、履物着用者が必要によってインラインスケートを楽しもうとする場合には、履物胴体の底８０の後端部に設けられた前記プッシュボタン３を押すことで、ガイド５０に装着されたホイール６０が履物胴体の底８０の底面部に形成されたハウジング２０内から底８０の外部に押し出されることによってインラインスケーティングを楽しむことができ、このインラインスケーティングを止める場合には、前記プッシュボタン３を内側に押し込むとともにガイド５０に装着されたホイール６０を手で前記フレーム４０内に押し込むと、前記ハウジング２０の内部に挿入されたスライダー３０が前方に前進するとともにスプリング１による弾性作動によってホイールシャフト８がスライダー３０に形成された“Ｌ”字形のホイールシャフト挿入溝５内に進入することによって通常的な履物の機能をすることになる一石二鳥の機能が簡便に使えるものである。
【符号の説明】
【００１６】
１、２    スプリング
３        プッシュボタン
４        ハウジング固定板
５      （ホイール）シャフト挿入溝
６        ホイールシャフト装着溝
７        締結溝
８        ホイールシャフト
９        ホイールシャフト挿入孔
２０      ハウジング
３０      スライダー
４０      フレーム
５０      ガイド
６０      ホイール
８０    （履物）底
１００    履物胴体
【図１】
0003215113.tif 000003
【図２】
0003215113.tif 000004
【図３】
0003215113.tif 000005
【図４】
0003215113.tif 000006
【図５】
0003215113.tif 000007
【図６】
0003215113.tif 000008
【図７】
0003215113.tif 000009